(57)【要約】【課題】第１端子と短絡端子との接続信頼性を保持することができるコネクタを提供する。【解決手段】接触片１１が、第１端子３と接触可能に設けられた接点部１７と、接点部１７より第１ハウジング５と第２ハウジング９との嵌合方向と交差する方向に突出して設けられた摺動突起１９とを有し、解除部１５が、摺動突起１９と摺動して接触片１１を変位させる摺動斜面２１と、この摺動斜面２１と連続して設けられ摺動突起１９と当接して接触片１１が変位された状態を保持する支持部２３と、摺動斜面２１と支持部２３より第１ハウジング５と第２ハウジング９との嵌合方向と交差する方向に配置され接点部１７を収容する接点収容部２５とを有した。【選択図】図１
2018018734.tif 000002
【特許請求の範囲】
【請求項１】
複数の第１端子を収容した第１ハウジングと、前記第１端子に接続可能な複数の第２端子を収容して前記第１ハウジングに嵌合可能な第２ハウジングと、前記第１ハウジングに収容され隣り合う前記第１端子とそれぞれ接触した接触片を有する短絡端子と、前記第２ハウジングに設けられ前記接触片を変位させて前記第１端子と前記接触片との接触を解除する解除部とを備えたコネクタであって、
前記接触片は、前記第１端子と接触可能に設けられた接点部と、この接点部より前記第１ハウジングと前記第２ハウジングとの嵌合方向と交差する方向に突出して設けられた摺動突起とを有し、
前記解除部は、前記第１ハウジングと前記第２ハウジングとが嵌合するときに前記摺動突起と摺動して前記接触片を変位させる摺動斜面と、この摺動斜面と連続して設けられ前記第１ハウジングと前記第２ハウジングとが嵌合した状態で前記摺動突起と当接して前記接触片が変位された状態を保持する支持部と、前記摺動斜面と前記支持部より前記第１ハウジングと前記第２ハウジングとの嵌合方向と交差する方向に配置され前記第１ハウジングと前記第２ハウジングとの嵌合開始から嵌合完了まで前記接点部を収容する接点収容部とを有することを特徴とするコネクタ。
【請求項２】
請求項１記載のコネクタであって、
前記接点収容部には、前記第１ハウジングと前記第２ハウジングとが嵌合した状態で、前記接点部と前記第１端子との間に配置される絶縁部が設けられていることを特徴とするコネクタ。
【請求項３】
請求項１又は２記載のコネクタであって、
前記解除部は、前記摺動斜面に対して前記摺動突起の突出方向側に配置され、前記第１ハウジングと前記第２ハウジングとが嵌合するときに、前記摺動突起と摺動して前記接触片を前記摺動斜面から離れる方向に変位させる変位部を有することを特徴とするコネクタ。
【発明の詳細な説明】
【技術分野】
【０００１】
本発明は、コネクタに関する。詳細には、ハウジングに収容された複数の端子間を接続する短絡端子を有するコネクタに関する。
【背景技術】
【０００２】
従来、コネクタとしては、複数の第１端子としての雌端子を収容した第１ハウジングと、雌端子に接続可能な複数の第２端子としての雄端子を収容して第１ハウジングに嵌合可能な第２ハウジングと、第１ハウジングに収容され隣り合う雌端子とそれぞれ接触した接触片を有する短絡端子と、第２ハウジングに設けられ接触片を変位させて雌端子と接触片との接触を解除する解除部としての絶縁部材とを備えたものが知られている（例えば、特許文献１参照）。
【０００３】
このコネクタでは、例えば、第１ハウジングに収容された複数の雌端子のうち隣り合う２つの雌端子がエアバックの作動を制御するエアバック回路に接続されている。
【０００４】
この隣り合う２つの雌端子は、第１ハウジングと第２ハウジングとが嵌合されていない状態で、第１ハウジングに収容された短絡端子の接触片と接触することにより、短絡端子を介して接続されている。
【０００５】
このように第１ハウジングと第２ハウジングとが嵌合していない状態で、短絡端子を介して２つの雌端子同士を接続することにより、２つの雌端子間に電位差を生じることがなく、エアバックの誤爆を防止している。
【０００６】
この２つの雌端子と短絡端子との接続は、第１ハウジングと第２ハウジングとを嵌合することにより、第２ハウジングの絶縁部材が雌端子と短絡端子の接触片との間に挿入され、接触片が変位されて雌端子と接触片との接触が解除され、２つの雌端子と短絡端子との接続が解除される。
【先行技術文献】
【特許文献】
【０００７】
【特許文献１】特開平６−１８１０８３号公報
【発明の概要】
【発明が解決しようとする課題】
【０００８】
ところで、上記特許文献１のようなコネクタでは、短絡端子の接触片に第１端子と接触する接点部が設けられ、この接点部が解除部と摺動することによって接触片が変位され、第１端子と短絡端子との接続が解除されている。
【０００９】
しかしながら、上記特許文献１のコネクタのように、接触片の接点部を解除部と摺動させてしまうと、接点部に損傷や変形が発生する恐れがあり、第１端子と短絡端子との接続信頼性が低下する恐れがあった。
【００１０】
そこで、この発明は、第１端子と短絡端子との接続信頼性を保持することができるコネクタの提供を目的としている。
【課題を解決するための手段】
【００１１】
請求項１記載の発明は、複数の第１端子を収容した第１ハウジングと、前記第１端子に接続可能な複数の第２端子を収容して前記第１ハウジングに嵌合可能な第２ハウジングと、前記第１ハウジングに収容され隣り合う前記第１端子とそれぞれ接触した接触片を有する短絡端子と、前記第２ハウジングに設けられ前記接触片を変位させて前記第１端子と前記接触片との接触を解除する解除部とを備えたコネクタであって、前記接触片は、前記第１端子と接触可能に設けられた接点部と、この接点部より前記第１ハウジングと前記第２ハウジングとの嵌合方向と交差する方向に突出して設けられた摺動突起とを有し、前記解除部は、前記第１ハウジングと前記第２ハウジングとが嵌合するときに前記摺動突起と摺動して前記接触片を変位させる摺動斜面と、この摺動斜面と連続して設けられ前記第１ハウジングと前記第２ハウジングとが嵌合した状態で前記摺動突起と当接して前記接触片が変位された状態を保持する支持部と、前記摺動斜面と前記支持部より前記第１ハウジングと前記第２ハウジングとの嵌合方向と交差する方向に配置され前記第１ハウジングと前記第２ハウジングとの嵌合開始から嵌合完了まで前記接点部を収容する接点収容部とを有することを特徴とする。
【００１２】
このコネクタでは、解除部が、第１ハウジングと第２ハウジングとが嵌合するときに摺動突起と摺動して接触片を変位させる摺動斜面を有するので、接点部と摺動斜面とを摺動させずに、接触片を変位させることができる。
【００１３】
また、解除部は、摺動斜面と連続して設けられ第１ハウジングと第２ハウジングとが嵌合した状態で摺動突起と当接して接触片が変位された状態を保持する支持部を有するので、接点部と支持部とを当接させずに、接触片が変位された状態を保持することができる。
【００１４】
さらに、解除部は、摺動斜面と支持部より第１ハウジングと第２ハウジングとの嵌合方向と交差する方向に配置され第１ハウジングと第２ハウジングとの嵌合開始から嵌合完了まで接点部を収容する接点収容部を有するので、接触片が変位している間は接点部が摺動斜面や支持部と干渉することがなく、接点部を保護することができる。
【００１５】
従って、このようなコネクタでは、接触片が変位している間に接点部を保護することができるので、接点部に損傷や変形が発生することがなく、第１端子と短絡端子との接続信頼性を保持することができる。
【００１６】
請求項２記載の発明は、請求項１記載のコネクタであって、前記接点収容部には、前記第１ハウジングと前記第２ハウジングとが嵌合した状態で、前記接点部と前記第１端子との間に配置される絶縁部が設けられていることを特徴とする。
【００１７】
このコネクタでは、接点収容部に、第１ハウジングと第２ハウジングとが嵌合した状態で、接点部と第１端子との間に配置される絶縁部が設けられているので、第１ハウジングと第２ハウジングとの嵌合状態における接点部と第１端子との間の絶縁性を保持することができ、短絡端子と第１端子との導通を防止することができる。
【００１８】
請求項３記載の発明は、請求項１又は２記載のコネクタであって、前記解除部は、前記摺動斜面に対して前記摺動突起の突出方向側に配置され、前記第１ハウジングと前記第２ハウジングとが嵌合するときに、前記摺動突起と摺動して前記接触片を前記摺動斜面から離れる方向に変位させる変位部を有することを特徴とする。
【００１９】
このコネクタでは、解除部が、第１ハウジングと第２ハウジングとが嵌合するときに、摺動突起と摺動して接触片を摺動斜面から離れる方向に変位させる変位部を有するので、接触片の復元力によって摺動突起と摺動斜面との摺動を保持することができ、接触片の変位を安定化することができる。
【発明の効果】
【００２０】
本発明によれば、第１端子と短絡端子との接続信頼性を保持することができるコネクタを提供することができるという効果を奏する。
【図面の簡単な説明】
【００２１】
【図１】本発明の実施の形態に係るコネクタの断面図である。
【図２】本発明の実施の形態に係るコネクタの第１ハウジングの分解斜視図である。
【図３】本発明の実施の形態に係るコネクタの第１ハウジングの断面図である。
【図４】本発明の実施の形態に係るコネクタの第２ハウジングの分解斜視図である。
【図５】本発明の実施の形態に係るコネクタの第２ハウジングの断面図である。
【図６】本発明の実施の形態に係るコネクタの短絡端子の平面図である。
【図７】本発明の実施の形態に係るコネクタの第２ハウジングの斜視図である。
【図８】図７の要部拡大図である。
【図９】本発明の実施の形態に係るコネクタの第１ハウジングと第２ハウジングとを嵌合するときの要部拡大断面図である。
【図１０】本発明の実施の形態に係るコネクタの第１ハウジングと第２ハウジングとを嵌合させたときの要部拡大断面図である。
【発明を実施するための形態】
【００２２】
図１〜図１０を用いて本発明の実施の形態に係るコネクタについて説明する。
【００２３】
本実施の形態に係るコネクタ１は、複数の第１端子３を収容した第１ハウジング５と、第１端子３に接続可能な複数の第２端子７を収容して第１ハウジング５に嵌合可能な第２ハウジング９と、第１ハウジング５に収容され隣り合う第１端子３，３とそれぞれ接触した接触片１１，１１を有する短絡端子１３と、第２ハウジング９に設けられ接触片１１を変位させて第１端子３と接触片１１との接触を解除する解除部１５とを備えている。
【００２４】
また、接触片１１は、第１端子３と接触可能に設けられた接点部１７と、この接点部１７より第１ハウジング５と第２ハウジング９との嵌合方向と交差する方向に突出して設けられた摺動突起１９とを有する。
【００２５】
そして、解除部１５は、第１ハウジング５と第２ハウジング９とが嵌合するときに摺動突起１９と摺動して接触片１１を変位させる摺動斜面２１と、この摺動斜面２１と連続して設けられ第１ハウジング５と第２ハウジング９とが嵌合した状態で摺動突起１９と当接して接触片１１が変位された状態を保持する支持部２３と、摺動斜面２１と支持部２３より第１ハウジング５と第２ハウジング９との嵌合方向と交差する方向に配置され第１ハウジング５と第２ハウジング９との嵌合開始から嵌合完了まで接点部１７を収容する接点収容部２５とを有する。
【００２６】
また、接点収容部２５には、第１ハウジング５と第２ハウジング９とが嵌合した状態で、接点部１７と第１端子３との間に配置される絶縁部２７が設けられている。
【００２７】
さらに、解除部１５は、摺動斜面２１に対して摺動突起１９の突出方向側に配置され、第１ハウジング５と第２ハウジング９とが嵌合するときに、摺動突起１９と摺動して接触片１１を摺動斜面２１から離れる方向に変位させる変位部２９を有する。
【００２８】
図１〜図１０に示すように、複数の第１端子３は、それぞれタブ状の接続部を有する雄型端子からなり、エアバックの作動を制御するエアバック回路に接続された複数の電線３１の端末部にそれぞれ電気的に接続されている。
【００２９】
この複数の第１端子３は、第１ハウジング５に形成された開口から第１ハウジング５に挿入され、第１ハウジング５内に収容される。
【００３０】
第１ハウジング５は、合成樹脂などの絶縁性材料からなり、第１端子３を挿入させる開口と反対側に内部に第２ハウジング９を嵌合可能な第１嵌合部３３が設けられ、この第１嵌合部３３の底部側に第１端子３を収容する複数の第１端子収容室３５が設けられている。
【００３１】
この第１ハウジング５の複数の第１端子収容室３５内には、それぞれ第１端子３を係止する第１係止ランス３７が撓み可能に設けられ、この複数の第１端子収容室３５に連通された孔部に第１スペーサ３９を挿入することにより複数の第１端子３が二重係止される。
【００３２】
このような第１ハウジング５内に収容された複数の第１端子３は、第１ハウジング５の第１嵌合部３３に第２ハウジング９が嵌合することにより、第２ハウジング９に収容された複数の第２端子７に接続される。
【００３３】
複数の第２端子７は、それぞれ第１端子３のタブ状の接続部を挿入可能な箱状の接続部を有する雌型端子からなり、電源や機器などに接続された複数の電線４１の端末部にそれぞれ電気的に接続されている。
【００３４】
この複数の第２端子７は、第２ハウジング９に形成された開口から第２ハウジング９に挿入され、第２ハウジング９内に収容される。
【００３５】
第２ハウジング９は、合成樹脂などの絶縁性材料からなり、第２端子７を挿入させる開口と反対側に第１ハウジング５の第１嵌合部３３内に挿入可能な第２嵌合部４３が設けられ、この第２嵌合部４３の内部に第２端子７を収容する複数の第２端子収容室４５が設けられている。
【００３６】
この第２ハウジング９の複数の第２端子収容室４５内には、それぞれ第２端子７を係止する第２係止ランス４７が撓み可能に設けられ、この複数の第２端子収容室４５に連通された孔部に第２スペーサ４９を挿入することにより複数の第２端子７が二重係止される。
【００３７】
ここで、第２ハウジング９の電線４１の引出部側の外周には、第２ハウジング９に撓み可能な係止部５１を介して仮係止位置（図５参照）にキャップハウジング５３が組付けられている。
【００３８】
このキャップハウジング５３は、第１ハウジング５と第２ハウジング９とが半嵌合である場合、仮係止位置から移行することができず、第１ハウジング５と第２ハウジング９とが嵌合した場合、係止部５１の係止位置が移行し、本係止位置（図１参照）に移行する。
【００３９】
このようなキャップハウジング５３の仮係止位置と本係止位置との移行により、第１ハウジング５と第２ハウジング９との嵌合状態を検知することができる。
【００４０】
このような第２ハウジング９は、第２嵌合部４３が第１ハウジング５の第１嵌合部３３と嵌合することにより、第１ハウジング５に収容された第１端子３と第２ハウジング９に収容された第２端子７とが電気的に接続される。
【００４１】
ここで、メンテナンスなどによって、第１ハウジング５と第２ハウジング９との嵌合を解除した状態では、エアバック回路に接続された第１ハウジング５に収容された複数の第１端子３の間に、静電気などによって電位差が生じるとエアバックが誤爆する恐れがあった。
【００４２】
そこで、複数の第１端子３の間に電位差を生じなくさせるために、複数の第１端子３のうち隣り合う２つの第１端子３，３を電気的に接続する複数の短絡端子１３が第１ハウジング５に収容されている。
【００４３】
複数の短絡端子１３は、それぞれプレス加工や折り曲げ加工を施された１枚の導電性材料からなり、端部に弾性変形可能な２つの接触片１１，１１を有している。
【００４４】
この接触片１１は、上下方向、左右方向のいずれの方向にも弾性変形可能に設けられ、自由端側に、第１ハウジング５内に収容された状態で第１端子３に向けて突出された接点部１７が設けられている。
【００４５】
この接点部１７は、隣り合う２つの第１端子３，３の外周面に接触片１１の所定の付勢力によって接触され、隣り合う２つの第１端子３，３が短絡端子１３を介して電気的に接続された状態となる。
【００４６】
このように短絡端子１３を介して２つの第１端子３，３の間を電気的に接続することにより、２つの第１端子３，３の間に電位差が生じることがなく、エアバックの誤爆を防止することができる。
【００４７】
このような接点部１７が設けられた接触片１１には、摺動突起１９が設けられている。
【００４８】
摺動突起１９は、接触片１１において、接点部１７より自由端側で、接点部１７より第１ハウジング５と第２ハウジング９との嵌合方向と交差する直交方向、すなわち接触片１１の幅方向に向けて接触片１１と連続する一部材で突設されている。
【００４９】
この摺動突起１９は、第１ハウジング５と第２ハウジング９とが嵌合するとき、第２ハウジング９に設けられた解除部１５の摺動斜面２１と摺動して接触片１１を変位させ、接点部１７と第１端子３との接触を解除させる。
【００５０】
解除部１５は、第２ハウジング９の第１ハウジング５との嵌合方向前側に配置され、摺動斜面２１と、支持部２３と、接点収容部２５と、変位部２９とを備えている。
【００５１】
摺動斜面２１は、第２ハウジング９の第１ハウジング５側の先端側に第２ハウジング９と連続する一部材で形成され、第１ハウジング５側から第２ハウジング９側に向けて上り傾斜となる傾斜面となっている。
【００５２】
この摺動斜面２１は、第１ハウジング５と第２ハウジング９とが嵌合するときに、下端が短絡端子１３の接触片１１の摺動突起１９と当接し、第１ハウジング５と第２ハウジング９との嵌合が進むと、接触片１１の摺動突起１９が摺動斜面２１に沿って摺動し、接触片１１を上方に向けて変位させる。
【００５３】
この摺動斜面２１による接触片１１の変位により、接触片１１の接点部１７と第１端子３との接触が解除され、隣り合う第１端子３，３の間の電気的な接続が解除される。
【００５４】
支持部２３は、第２ハウジング９と連続する一部材で形成され、摺動斜面２１の上端から第２ハウジング９側に向けて連続して延設された平面となっている。
【００５５】
この支持部２３は、第１ハウジング５と第２ハウジング９とが嵌合した状態で、短絡端子１３の接触片１１の摺動突起１９と当接され、接触片１１が上方に向けて変位された状態を保持する。
【００５６】
この支持部２３による接触片１１の変位状態の保持により、接触片１１が下方に向けて変位するように復元することがなく、接触片１１の接点部１７と第１端子３との接触解除状態を保持することができる。
【００５７】
接点収容部２５は、第２ハウジング９と連続する一部材で形成され、摺動斜面２１と支持部２３より第１ハウジング５と第２ハウジング９との嵌合方向と交差する直交方向、すなわち摺動突起１９の突出方向と反対方向に配置された凹部となっている。
【００５８】
この接点収容部２５は、第１ハウジング５と第２ハウジング９との嵌合開始から嵌合完了まで、短絡端子１３の接触片１１の接点部１７と干渉することがないように内壁面が離間しながら接点部１７を収容する。
【００５９】
すなわち、接触片１１が変位している間は、接触片１１の接点部１７が接点収容部２５に収容されており、接点部１７が摺動斜面２１や支持部２３、或いは接点収容部２５の内壁面と干渉しないようにされている。
【００６０】
この接点収容部２５による接点部１７の収容により、接点部１７が接触片１１の変位に関与することがなく、接点部１７に損傷や変形が発生することを防止することができ、接点部１７と第１端子３とを正常に接触させ、短絡端子１３と第１端子３との接続信頼性を保持することができる。
【００６１】
加えて、接点部１７は、摺動斜面２１や支持部２３と接触する機会がないので、摺動斜面２１や支持部２３に絶縁物が付着していても、その絶縁物が接点部１７に付着することがなく、接点部１７と第１端子３との間に絶縁物が介在することを防止でき、短絡端子１３と第１端子３との接続信頼性を保持することができる。
【００６２】
このような接点収容部２５には、第２ハウジング９と連続する一部材で形成された絶縁部２７が設けられている。
【００６３】
絶縁部２７は、摺動斜面２１の下端側に配置され、第１ハウジング５と第２ハウジング９とが嵌合した状態で、接点部１７と第１端子３との間に配置される。
【００６４】
このように接点部１７と第１端子３との間に絶縁部２７を配置させることにより、接点部１７と第１端子３との間の絶縁性が保持され、第１ハウジング５と第２ハウジング９とが嵌合した状態で、短絡端子１３と第１端子３とが導通することを防止することができる。
【００６５】
変位部２９は、第２ハウジング９と連続する一部材で第１ハウジング５側の先端が先細りとなるリブ状に形成され、摺動斜面２１に対して摺動突起１９の突出方向側に隣接して配置されている。
【００６６】
この変位部２９は、短絡端子１３の２つの接触片１１，１１の間に位置するように配置され、第１ハウジング５と第２ハウジング９とが嵌合するときに、摺動突起１９と摺動して接触片１１を摺動斜面２１から離れる方向、すなわち接点収容部２５側に向けて変位させる。
【００６７】
この変位部２９による接触片１１の変位により、接触片１１には、摺動斜面２１に向けて近づこうとする復元力が働く。
【００６８】
この接触片１１の復元力により、摺動突起１９と摺動斜面２１とを確実に摺動させることができ、摺動突起１９の摺動斜面２１との摺動による接触片１１の変位を安定化することができる。
【００６９】
ここで、変位部２９の先細りとなる先端側は、摺動斜面２１より第１ハウジング５と第２ハウジング９との嵌合方向前側に配置されている。
【００７０】
このため、接触片１１の摺動突起１９は、第１ハウジング５と第２ハウジング９との嵌合を解除するときに、摺動斜面２１との摺動を終えた後に変位部２９との摺動を終えることになり、接触片１１が下方に向けて復元した後、左右方向に向けて復元する。
【００７１】
従って、接触片１１の接点部１７は、第１ハウジング５と第２ハウジング９との嵌合を解除するときに、第１端子３との接触を終えた後に、第１端子３の外周面と摺動することになる。
【００７２】
この接点部１７の第１端子３の外周面との摺動により、例えば、接点部１７に錫めっきなどが施されている場合に形成された酸化膜が破壊され、接点部１７と第１端子３とを新生面で接触させることができ、短絡端子１３と第１端子３との接続信頼性を向上することができる。
【００７３】
このようなコネクタ１では、解除部１５が、第１ハウジング５と第２ハウジング９とが嵌合するときに摺動突起１９と摺動して接触片１１を変位させる摺動斜面２１を有するので、接点部１７と摺動斜面２１とを摺動させずに、接触片１１を変位させることができる。
【００７４】
また、解除部１５は、摺動斜面２１と連続して設けられ第１ハウジング５と第２ハウジング９とが嵌合した状態で摺動突起１９と当接して接触片１１が変位された状態を保持する支持部２３を有するので、接点部１７と支持部２３とを当接させずに、接触片１１が変位された状態を保持することができる。
【００７５】
さらに、解除部１５は、摺動斜面２１と支持部２３より第１ハウジング５と第２ハウジング９との嵌合方向と交差する方向に配置され第１ハウジング５と第２ハウジング９との嵌合開始から嵌合完了まで接点部１７を収容する接点収容部２５を有するので、接触片１１が変位している間は接点部１７が摺動斜面２１や支持部２３と干渉することがなく、接点部１７を保護することができる。
【００７６】
従って、このようなコネクタ１では、接触片１１が変位している間に接点部１７を保護することができるので、接点部１７に損傷や変形が発生することがなく、第１端子３と短絡端子１３との接続信頼性を保持することができる。
【００７７】
また、接点収容部２５には、第１ハウジング５と第２ハウジング９とが嵌合した状態で、接点部１７と第１端子３との間に配置される絶縁部２７が設けられているので、第１ハウジング５と第２ハウジング９との嵌合状態における接点部１７と第１端子３との間の絶縁性を保持することができ、短絡端子１３と第１端子３との導通を防止することができる。
【００７８】
さらに、解除部１５は、第１ハウジング５と第２ハウジング９とが嵌合するときに、摺動突起１９と摺動して接触片１１を摺動斜面２１から離れる方向に変位させる変位部２９を有するので、接触片１１の復元力によって摺動突起１９と摺動斜面２１との摺動を保持することができ、接触片１１の変位を安定化することができる。
【００７９】
なお、本発明の実施の形態に係るコネクタでは、変位部を短絡端子の２つの接触片の間に位置させて１つの変位部で２つの接触片を変位させているが、これに限らず、２つの変位部を短絡端子の２つの接触片に対してそれぞれ設けてもよい。
【符号の説明】
【００８０】
１…コネクタ
３…第１端子
５…第１ハウジング
７…第２端子
９…第２ハウジング
１１…接触片
１３…短絡端子
１５…解除部
１７…接点部
１９…摺動突起
２１…摺動斜面
２３…支持部
２５…接点収容部
２７…絶縁部
２９…変位部
【図１】
2018018734.tif 000003
【図２】
2018018734.tif 000004
【図３】
2018018734.tif 000005
【図４】
2018018734.tif 000006
【図５】
2018018734.tif 000007
【図６】
2018018734.tif 000008
【図７】
2018018734.tif 000009
【図８】
2018018734.tif 000010
【図９】
2018018734.tif 000011
【図１０】
2018018734.tif 000012